(57)【要約】【課題】クラフト紙袋を構成しているクラフト紙と防水のため、該クラフト紙に重ねられた合成樹脂フィルムとの間に誤封入された空気を迅速に排出できるクラフト紙袋のオーバーテープ付き底部を提供すること。【解決手段】クラフト紙袋の底端縁の表裏の外面に二つ折り形態で固着されているオーバーテープの二つ折り折曲部の内面部分に、クラフト紙袋の底端縁全体にわたる空隙部を形成し、この空隙部に突切り加工、押し切り加工等によるバリ付き小孔を多数列設した。【選択図】図２
2005088932.tif 000002
【特許請求の範囲】
【請求項１】
クラフト紙袋の底端縁の外面に、該袋の表面側から背面側へ二つ折り形態で
、底端縁に沿って固着されたオーバーテープの、二つ折りの折曲部内面と、該
折曲部内面の直近上部の、オーバーテープ内面とが、互に離間させられると共
に、クラフト紙袋の前記底端縁の外面とも離間させられて該底端縁との間に空
隙部を形成しており、前記空隙部に臨むオーバーテープには針状工具等による
空隙部の内面から外面へ向う方向の、突切り加工、押し切り加工等による多数
の小孔が穿設されていることを特徴とするクラフト紙袋の底部。
【請求項２】
オーバーテープに穿設された小孔の外周縁が該小孔の穿設によって解繊され
たオーバーテープの構成繊維群によって囲繞されている請求項１記載のクラフ
ト紙袋の底部。
【発明の詳細な説明】
【技術分野】
【０００１】
本発明は、各種食料品、化学薬品、工業原料等の粉体、小粒体等の保管、運
搬等に使用されるクラフト紙袋の底部の構造の改良に関する。
【背景技術】
【０００２】
従来のクラフト紙袋の底部は、底部を封止しているミシン縫目の保護、内容
物の漏れ出しの防止、異物侵入の防止等のため、オーバーテープが接着或は縫
着されているが、クラフト紙袋の上端の開口縁から内容物を充填するタイプの
クラフト紙袋の場合には、充填に先だち、クラフト紙袋の開口縁を表裏両側か
ら負圧吸引し、開口縁を広く拡開させる手段が採用されているが、該袋が防水
性或は防湿性を要求されており、表裏両側のクラフト紙の内側に合成樹脂層が
形成されている場合とか、合成樹脂フィルムが配設されている場合には、表裏
のクラフト紙層が点貼りされている場合は問題が生じないものの、点貼りされ
ていない場合には、表裏のクラフト紙は負圧吸引されて開口されるものの、内
側のクラフト紙或は合成樹脂フィルムには負圧が十分に作用せず、開口不十分
となり、外層のクラフト紙層との間に間隙部が生じ、内包物充填時に、一部の
内包物と空気とが、該間隙部に入り込み、空気の排出が不十分であると、内容
物の取り出し時に、クラフト紙層間へ入り込んでいた内容物が異物として内容
物に混入する問題を抱えている。
【０００３】
前記クラフト紙袋内に内容物と同時に吹き込められた空気は、クラフト紙袋
の底部の縫合ミシン目、ミシン糸の組織間隙等を経て底部外へ徐々に排出され
るが、このクラフト紙袋の底部外周面には、既述のごとくミシン縫目の保護、
内容物の漏れ出しの防止、異物の侵入の防止等のため、オーバーテープが接着
されており、前記吹き込められた空気の排出を、クラフト紙袋の底部を通して
行う構造とされてはいるが、その作用は著しく緩徐であり、充填後のコンベア
ーによる移送中における前記吹き込められた空気の排出は僅少にすぎず、大部
分の吹き込められた空気は、前記袋内及び間隙部分に残留し、内容物が充填さ
れ、開口縁が密封されたクラフト紙袋がコンベアーから外され、積み重ねられ
ると、個々の袋体に作用する重圧により、前記袋内及び間隙部分に強大な内圧
が作用し、クラフト紙層やオーバーテープが破断されるケースも生ずる。特に
クラフト紙間に合成樹脂層が存在する場合には、オーバーテープに作用する力
が強大となり、オーバーテープの剥離、破断等を惹起する恐れも存する。かか
る現状であるにも拘らず、前記残留した吹き込められた空気の排出を積極的に
行うことは考慮されず、オーバーテープの本来の目的を達成し、しかもクラフ
ト紙袋内及び紙層間に吹き込められた空気の確実な排出を図ることの必要性も
解決手段も、従来は提案されていない。
【０００４】
【非特許文献１】編集  全国クラフト紙袋工業組合「クラフト紙袋のしおり」第六版発行年月日  平成１１年（１９９９年）４月１日発行  全国クラフト紙袋工業組合３４頁〜３７頁  ４０頁〜５０頁
【発明の開示】
【発明が解決しようとする課題】
【０００５】
前記従来の底部にオーバーテープが接着されているクラフト紙袋の有する問題
点に鑑み、本発明は、オーバーテープ本来の目的を達成できるのみでなく、ク
ラフト紙袋内へ内容物と空気とが充填され、開口縁が密封されたクラフト紙袋
が、コンベアー上に横置された際の内容物から袋体に作用する内圧と、該袋体
が積み重ねられた際の外圧とにより、前記滞留した空気を袋体外へ迅速に排出
できるオーバーテープを具備したクラフト紙袋の底部構造を提供することを課
題としている。
【課題を解決するための手段】
【０００６】
前記課題を解決するため、請求項１の発明では、クラフト紙袋の底端縁外面
に、該袋の表面側から背面側へ二つ折り形態で、底端縁に沿って固着されたオ
ーバーテープの、二つ折りの折曲部内面と、該折曲部内面の直近上部のオーバ
ーテープ内面とが、互に離間させられると共に、クラフト紙袋の前記底端縁の
外面とも離間させられて空隙部を形成しており、前記空隙部に臨むオーバーテ
ープには針状工具等による空隙部の内面から外面へ向う方向の、突切り加工、
押し切り加工等による多数の小孔が穿設されているという構成とした。
【０００７】
請求項２の発明では、請求項１の発明に、オーバーテープに穿設された小孔
の外周縁は、該小孔の穿設によって解繊されたオーバーテープの構成繊維群に
よって囲繞されているという構成を付加した。
【発明の効果】
【０００８】
請求項１の発明によると、クラフト紙袋の底端縁に、該袋の表面側から背面
側へ二つ折り形態で、前記底端縁に沿って固着されたオーバーテープの二つ折
りの折曲部内面と、該折曲部内面の直近上部のオーバーテープ内面とが、互に
離間させられ、かつ前記クラフト紙袋の底端縁の外面とも離間させられて該底
端縁との間に空隙部を形成しており、この空隙部に臨むオーバーテープには、
空隙部の内面から外面へ向う方向の、突切り加工、押し切り加工等による多数
の小孔が穿設されているので、クラフト紙袋への内容物充填に先だち、該袋の
上縁の開口縁を開口させるため、負圧吸引によって開口部の前後両側のクラフ
ト紙層を開口させる際、各クラフト紙層の袋内側寄りのクラフト紙、合成樹脂
層等と外側のクラフト紙層との間に間隙部が生じ、内容物の充填時に、該内容
物の一部と空気とが、前記袋内及び間隙部に流入し、排気不十分なまま開口部
が密封されたとしても、内容物が充填され、開口縁が密封されたクラフト紙袋
がコンベアー上に横置され、内容物が袋内一杯に拡がる際に袋体に及ぼす内圧
と、コンベアーから外された袋体が積み重ねられる際の外圧とが作用すると、
前記袋内及び間隙内に流入した空気は、ミシン縫目の針飛び個所、クラフト紙
とこれを貫く縫合糸との間の間隙、縫合糸の繊維間隙等の微細な通気間隙を通
って、オーバーテープ７の折曲部内面１０とクラフト紙袋１の底端縁６との間
のオーバーテープ７の空隙部１３へ流出し、オーバーテープ７に形成されてい
る小孔１６、１７、２０群から外部へ流出し、迅速に除去され、クラフト紙袋
１からの内容物の取出し時に、前記間隙部分内に流入した内容物は、空気が排
出されているため流動することなく、間隙を形成しているクラフト紙、合成樹
脂層等に挟圧保持されたままにすることができ、クラフト紙袋から取り出され
る内容物中に異物として混入するのを良好に防止できる効果を奏する。
【０００９】
また小孔群は突切り加工、押し切り加工等で穿孔されるため、孔縁にバリ状
に残存した引きちぎり残片が、クラフト紙袋内の負圧が、小孔部分に外気吸引
負圧として作用すると、前記バリ状に残存した引きちぎり残片が逆止弁の作用
をして大気が小孔を通してクラフト紙袋内へ吸引されるのを防止する効果を奏
する。
【００１０】
請求項２の発明によると、小孔の外周縁が、小孔の穿設によって解繊された
オーバーテープの構成繊維群によって囲繞されているので、クラフト紙袋内の
負圧が小孔群に大気吸引負圧として作用したときの小孔群の閉塞が、解繊され
ているオーバーテープの構成繊維群により、迅速に行われる効果を奏する。
【００１１】
以上記述した効果を奏するに拘らずオーバーテープとしての本来のミシン目
の保護、内容物の漏れ出しの防止、異物侵入の防止等の機能は、いささかも損
うことがない効果も有している。
【発明を実施するための最良の形態】
【００１２】
図１ないし図４は、本発明の第１の実施例を示し、図５は、本発明の第２の
実施例を示しており、クラフト紙袋１は、図１に示されるごとく、ひだ折り目
２、３を有し、上端縁４の全縁が開口され、底部５は、図２に示されるごとく
、クラフト紙袋１の底端縁６にオーバーテープ７が接着、固定されている。
【００１３】
このオーバーテープ７は、図３に示されるごとく、クラフト紙袋１の底端縁
６の外面に、クラフト紙袋の表面側８から背面側９へ二つ折り形態で、底端縁
６に沿って、図示例の場合、感熱接着剤層２２、２３を介して接着されている
。
【００１４】
このオーバーテープ７は、図３に示すごとく、二つ折りの折曲部内面１０と
、折曲部内面１０の直近上部のオーバーテープ内面１１、１２とが互に離間さ
せられると共に、クラフト紙袋１の前記底端縁６とも離間させられ、底端縁６
と折曲部内面１０とオーバーテープ内面１１、１２との間に空隙部１３を形成
している。
【００１５】
この空隙部１３には、図２、図３及び図４に示されるごとく、内面１１、１
２から外面１４、１５に向う多数の小孔１６、１７群が穿設されている。
【００１６】
この小孔１６、１７群は、図４に示されるごとく、針状工具１８によるオー
バーテープ７の突切り加工或は押し切り加工等の手段で穿孔されるため、ポン
チによる打ち抜き加工と異なり、オーバーテープ７の構成繊維１９が切断され
ることなく、図４に示されるごとく、開繊状態で針状工具１８の進行方向へ、
即ちオーバーテープ７の外方向へ向って小孔１６、１７の周方向に沿って押し
出されている。
【００１７】
図４に示すごとく、オーバーテープ７の構成繊維１９が開繊状態で小孔１６
、１７の周方向に沿って押し出されている結果として、空隙部１３に負圧が発
生すると、僅かな外気の吸い込み作用で、開繊状態の構成繊維１９が小孔１６
、１７内へ吸い込まれ、小孔１６、１７を閉塞し、空隙部１３は、負圧状態が
僅かに損なわれるものの負圧状態に維持される。
【００１８】
図３に示す実施例では、小孔１６、１７は折曲部内面１０の直近上部のオー
バーテープ内面１１、１２に互にチドリ状配置で形成されるが、図５に示す実
施例では、オーバーテープ７の二つ折りの折曲部内面１０の、クラフト紙袋１
の底端縁６の直下に位置して小孔２０が１列に穿設されている。
【００１９】
図３、図５において符号符２１は、クラフト紙袋１の底部５の縫合糸、符号
２２、２３は、オーバーテープ７の感熱接着剤層であり、模型的に拡大して厚
く図示してあるが、実際には著しく薄く、後述する空気の流通が生ずる。
【００２０】
クラフト紙袋１の底部５における表面側８と背面側９の各クラフト紙層は、
前記感熱接着剤層２２、２３による接着と縫合糸２１によるミシン縫合とで一
体的に結合されているのが一般的結合構造である。
【００２１】
前述のごときクラフト紙袋の底部の結合構造においては、クラフト紙層と、
この紙層を貫いている縫合糸の外周面との間、縫合糸の針飛び個所、繊維間隙
等に微細な通気間隙が存在し、既述のクラフト紙層間に封入された空気は、こ
れらの微細な通気間隙から、クラフト紙袋１に作用する内外圧により、流出さ
れ、既述のオーバーテープ７の折曲部内面１０とクラフト紙袋１の底端縁６と
の間の間隙からオーバーテープ７の両端へ流れ、外部へ排出される構造とはな
っているが、この構造は、クラフト紙層間に封入された空気を積極的に排気す
る目的で設計された構造では無く、しかもオーバーテープ７が、本来、ミシン
縫目の保護、内容物の漏れ出し防止、異物の侵入防止等を目的としているため
、オーバーテープ７の両端からの排気は、実質的には機能していない。
【００２２】
これに対し、本発明に係るクラフト紙袋１の底部５の構造では、既述のごと
く、オーバーテープ７の二つ折りの折曲部内面１０と折曲部内面１０直近上部
のオーバーテープ内面１１、１２とが互に離間され、しかもクラフト紙袋１の
底端縁６とも離間せられ、これ等３者の間に空隙部１３が形成されており、こ
の空隙部１３に臨むオーバーテープ７にはオーバーテープ内面１１、１２から
外面１４、１５に向う小孔１６、１７或は２０が穿設されているので、オーバ
ーテープ７の空隙部１３に流出した空気は、小孔１６、１７或は２０から容易
に外部へ排気される。
【００２３】
然も小孔１６、１７、２０は針状工具１８による突切り加工或は押し切り加
工等の手段で穿孔されるため、突切り加工、押し切り加工等のダイスと加工刃
との間で被加工材料を引き伸ばし、引きちぎる加工手段で穿孔された小孔であ
るため、穿孔方向外側の孔縁には、オーバーテープ７の構成材料の引きちぎら
れたオーバーテープの構成繊維が解繊された状態の残片としてバリ状に残り、
この残片が該小孔に空隙部１３内へ向う負圧が作用したときには、該小孔を閉
塞する方向に変位し、空隙部１３内への空気の流入を阻止する作用を生ずる。
【００２４】
オーバーテープ７の構成繊維が引張り強度の大きい繊維の場合には、オーバ
ーテープ７の構成繊維１９は、切断されることなく、開繊状態で、図４に示す
ごとく、オーバーテープ７の外方向へ向い、かつ小孔１６、１７、２０の周方
向に沿って押し出されるので、前記小孔１６、１７、２０からの排気を、開繊
状態の構成繊維１９が阻害することは無く、逆にクラフト紙袋１内の減圧によ
り、小孔１６、１７、２０を通って袋外から空気がクラフト紙袋１内へ流入す
るケースが生じた際は、前記開繊状態の構成繊維１９が流入初期の段階で小孔
１６、１７、２０に向って吸い込まれ、該小孔１６、１７、２０を閉塞するの
で、外気が小孔１６、１７、２０を通ってクラフト紙袋１のクラフト紙層間に
流入することが阻止される。
【００２５】
本発明において、オーバーテープ７に形成される小孔１６、１７、２０の孔
径は、オーバーテープ７の材質に応じ、概ね0.5ｍｍないし1.5ｍｍの範囲から
選定され、同一列線上の小孔間の間隔は、前記孔径の大小に応じて、概ね30ｍ
ｍないし50ｍｍの範囲から選定されるが、これ等の数値に限定されるものでは
なく、排気は充分に達成でき、かつクラフト紙袋１内への空気の流入は阻止で
きる限りは、いかなる孔径、間隔であってもよいことは勿論である。
【図面の簡単な説明】
【００２６】
【図１】クラフト紙袋の実施の一例の正面図である。
【図２】図１に示されるクラフト紙袋の底部の一部を切除して示した拡大斜視図である。
【図３】第１の実施例の底部の略示拡大縦断面図である。
【図４】小孔の穿孔状態を示す模型的拡大断面図である。
【図５】第２の実施例の底部の略示拡大縦断面図である。
【符号の説明】
【００２７】
１  クラフト紙袋
５  底部
６  底端縁
７  オーバーテープ
８  表面側
９  背面側
１０  折曲部内面
１１、１２  オーバーテープ内面
１３  空隙部
１４、１５  底端縁の外面
１６、１７、２０  小孔
１８  針状工具
１９  構成繊維
【図１】
2005088932.tif 000003
【図２】
2005088932.tif 000004
【図３】
2005088932.tif 000005
【図４】
2005088932.tif 000006
【図５】
2005088932.tif 000007